(57)【要約】    【課題】  デジタルカメラや携帯端末等のような性能が低く機能の制限された機器でも、利用者が望む広告を画像データに付加することができる画像配信システム及びその制御方法、並びにプログラムを提供する。    【解決手段】  画像配信システム１００は、ネットワーク１０１を介して互いに接続されたデジタルカメラ１０２、広告プロキシサーバ１０３ａ及びクライアント１０５を備え、デジタルカメラ１０２は、撮影した画像データ５０Ａを広告プロキシサーバ１０３ａの中継を介してクライアント１０５に配信する。画像配信装置は広告プロキシサーバ１０３ａで記憶された複数の広告の１つをユーザ選択に応じて設定し、広告プロキシサーバ１０３ａでこの設定された広告を画像データ５０Ａに付加する。【選択図】      図４
2006109092.tif 000002
【特許請求の範囲】
【請求項１】
ネットワークを介して互いに接続された画像配信装置、画像中継装置及び画像表示装置を備え、前記画像配信装置は、撮影した画像データを前記画像中継装置の中継を介して前記画像表示装置に配信する画像配信システムにおいて、
前記画像中継装置で複数の広告を記憶する広告記憶手段と、
前記画像配信装置で前記記憶された複数の広告の１つをユーザ選択に応じて設定する広告設定手段と、
前記画像中継装置で前記設定された広告を前記画像配信装置により撮影された画像データに付加する付加手段とを備えることを特徴とする画像配信システム。
【請求項２】
ネットワークを介して互いに接続された画像配信装置、画像中継装置及び画像表示装置を備え、前記画像配信装置は、撮影した画像データを前記画像中継装置の中継を介して前記画像表示装置に配信する画像配信システムにおいて、
前記画像中継装置で複数の広告を記憶する広告記憶手段と、
前記画像表示装置で前記記憶された複数の広告の１つをユーザ選択に応じて設定する広告設定手段と、
前記画像中継装置で前記設定された広告を前記画像配信装置により撮影された画像データに付加する付加手段とを備えることを特徴とする画像配信システム。
【請求項３】
前記画像配信システムは、前記画像配信装置及び画像表示装置を中継する他の画像中継装置を更に有し、
前記他の画像中継装置で前記複数の広告と同一の広告を複数の検索条件と関連づけて記憶する検索条件記憶手段と、
前記広告設定手段で前記複数の検索条件の１つをユーザ選択に応じて設定する検索条件設定手段と、
前記他の画像中継装置で前記設定された検索条件に合う広告を前記複数の検索条件と関連づけて記憶された広告から抽出する広告抽出手段と、
前記他の画像中継装置で前記抽出された広告を一覧表示する広告一覧を作成する広告一覧作成手段と、
前記広告設定手段で前記作成された広告一覧からユーザ選択された広告を前記設定された広告とすることを特徴とする請求項１又は２記載の画像配信システム。
【請求項４】
前記複数の検索条件は、前記画像配信装置の位置情報を含むことを特徴とする請求項３記載の画像配信システム。
【請求項５】
前記複数の検索条件は、前記画像表示装置の位置情報を含むことを特徴とする請求項３記載の画像配信システム。
【請求項６】
前記複数の検索条件は、前記画像配信装置の利用者情報を含むことを特徴とする請求項３記載の画像配信システム。
【請求項７】
前記複数の検索条件は、前記画像表示装置の利用者情報を含むことを特徴とする請求項３記載の画像配信システム。
【請求項８】
前記複数の検索条件は、前記画像配信装置で撮影された画像の撮影日時情報を含むことを特徴とする請求項３記載の画像配信システム。
【請求項９】
前記広告設定手段は、
前回に、前記作成された広告一覧から前記ユーザ選択された広告と当該広告一覧で一覧表示される広告の検索条件とを関連付けて記憶する前回設定広告記憶手段を備え、
当該前回記憶された検索条件が、前記ユーザ選択により今回設定された検索条件と同一であるときに、当該検索条件と関連付けて記憶された広告を前記画像配信装置により撮影された画像データに付加する広告に設定することを特徴とする請求項３乃至８のいずれか１項に記載の画像配信システム。
【請求項１０】
前記画像中継装置は、
前記複数の広告夫々の利用期限を記憶する利用期限記憶手段と、
前記記憶された利用期限から前記設定された広告の利用期限を抽出する利用期限抽出手段とを備え、
前記広告設定手段は、
前記画像中継装置により抽出された利用期限が現在の日付より前であるときに、前記記憶された検索条件から当該利用期限の広告の検索条件を抽出する検索条件抽出手段と、
前記抽出された検索条件を前記他の画像中継装置に再送信する検索条件再送信手段とを備えることを特徴とする請求項３乃至９のいずれか１項に記載の画像配信システム。
【請求項１１】
前記画像中継装置は、
前記複数の広告夫々の提供者連絡先を記憶する広告提供者連絡先記憶手段と、
前記記憶された提供者連絡先から前記設定された広告の提供者の連絡先を抽出する提供者連絡先抽出手段と、
前記設定された広告の配信時間を記憶する広告配信時間記憶手段と、
当該記憶された配信時間に応じて定期的に広告配信料を算出する広告配信料算出手段と、
前記算出された広告配信料の請求通知を前記抽出された提供者の連絡先に送信する請求通知送信手段とを備えることを特徴とする請求項３乃至１０のいずれか１項に記載の画像配信システム。
【請求項１２】
前記画像中継装置は、
前記設定された広告が付加されている画像データを前記画像配信装置で撮影した配信者の連絡先を記憶する配信者連絡先記憶手段と、
前記記憶された配信時間に応じて定期的に前記配信者への還付広告配信料を算出する配信者還付広告配信料算出手段と、
前記算出された還付広告配信料の還付通知を前記記憶された配信者の連絡先に送信する配信者還付通知送信手段とを備えることを特徴とする請求項１１記載の画像配信システム。
【請求項１３】
前記画像中継装置は、
前記設定された広告が付加されている画像データを前記画像表示装置で受信する受信者の連絡先を記憶する受信者連絡先記憶手段と、
前記記憶された配信時間に応じて定期的に前記受信者への還付広告配信料を算出する受信者還付広告配信料算出手段と、
前記算出された還付広告配信料の還付通知を前記記憶された受信者の連絡先に送信する受信者還付通知送信手段とを備えることを特徴とする請求項１１又は１２記載の画像配信システム。
【請求項１４】
ネットワークを介して互いに接続された画像配信装置、画像中継装置及び画像表示装置を備え、前記画像配信装置は、撮影した画像データを前記画像中継装置の中継を介して前記画像表示装置に配信する画像配信システムの制御方法において、
前記画像中継装置で複数の広告を記憶する広告記憶ステップと、
前記画像配信装置で前記記憶された複数の広告の１つをユーザ選択に応じて設定する広告設定ステップと、
前記画像中継装置で前記設定された広告を前記画像配信装置により撮影された画像データに付加する付加ステップとを備えることを特徴とする制御方法。
【請求項１５】
ネットワークを介して互いに接続された画像配信装置、画像中継装置及び画像表示装置を備え、前記画像配信装置は、撮影した画像データを前記画像中継装置の中継を介して前記画像表示装置に配信する画像配信システムの制御方法において、
前記画像中継装置で複数の広告を記憶する広告記憶ステップと、
前記画像表示装置で前記記憶された複数の広告の１つをユーザ選択に応じて設定する広告設定ステップと、
前記画像中継装置で前記設定された広告を前記画像配信装置により撮影された画像データに付加する付加ステップとを備えることを特徴とする制御方法。
【請求項１６】
ネットワークを介して互いに接続された画像配信装置、画像中継装置及び画像表示装置を備え、前記画像配信装置は、撮影した画像データを前記画像中継装置の中継を介して前記画像表示装置に配信する画像配信システムの画像配信制御プログラムにおいて、
前記画像中継装置で複数の広告を記憶する広告記憶モジュールと、
前記画像配信装置で前記記憶された複数の広告の１つをユーザ選択に応じて設定する広告設定モジュールと、
前記画像中継装置で前記設定された広告を前記画像配信装置により撮影された画像データに付加する付加モジュールとをコンピュータに実行させることを特徴とするプログラム。
【請求項１７】
ネットワークを介して互いに接続された画像配信装置、画像中継装置及び画像表示装置を備え、前記画像配信装置は、撮影した画像データを前記画像中継装置の中継を介して前記画像表示装置に配信する画像配信システムの画像配信制御プログラムにおいて、
前記画像中継装置で複数の広告を記憶する広告記憶モジュールと、
前記画像表示装置で前記記憶された複数の広告の１つをユーザ選択に応じて設定する広告設定モジュールと、
前記画像中継装置で前記設定された広告を前記画像配信装置により撮影された画像データに付加する付加モジュールとをコンピュータに実行させることを特徴とするプログラム。
【発明の詳細な説明】
【技術分野】
【０００１】
本発明は、画像配信システム及びその制御方法、並びにプログラムに関し、特に、デジタルカメラ等の画像配信装置が撮影した画像を画像中継装置が広告を付加した上で画像表示装置に再配信するようにした画像配信システム及びその制御方法、並びにプログラムに関する。
【背景技術】
【０００２】
近年、ネットワーク接続機能が付加されたデジタルカメラや画像撮影機能が付加された携帯端末が普及されるに伴い、これらのデジタルカメラや携帯端末で撮影した画像を直接ネットワークを介して配信したいという要求が一般ユーザの間で高まっている。
【０００３】
一方、配信データに広告を付加する技術として、ＨＴＭＬページに広告を付加する方法（例えば、特許文献１参照）、画像データに広告を付加する方法（例えば、特許文献２参照）、及び電子メールに広告を付加する方法などが従来より知られている。
【特許文献１】特開２００２−２０２９３１号公報
【特許文献２】特開２００３−２５９３２７号公報
【発明の開示】
【発明が解決しようとする課題】
【０００４】
しかしながら、デジタルカメラや携帯端末等で撮影した画像のデータ量は膨大であるため、このような画像を配信するシステムを作っても、このシステムの利用者が画像配信料としてその通信コストを全部負担するようにすると画像配信料が非常に高額になるという問題があった。
【０００５】
また、この問題は、デジタルカメラや携帯端末等で撮影した画像に広告を付加することにより、利用者に対し広告配信料の還付を行うことで解消することができるが、デジタルカメラや携帯端末等のような性能が低く機能の制限された機器では、機器上で直ちに配信データに広告を付加する処理を行わせることは困難であった。
【０００６】
さらに、上記の従来技術における配信データへの広告付加方法では、広告提供者の提供した広告や利用者の年齢性別や嗜好等の利用者情報に従って画一的に選択された広告がデジタルカメラや携帯端末等で撮影した画像に付加されてしまい、利用者が画像に付加したい広告を選択することができないという問題があった。
【０００７】
本発明の目的は、デジタルカメラや携帯端末等のような性能が低く機能の制限された画像配信装置においても、利用者が望む広告を画像データに付加することができる画像配信システム及びその制御方法、並びにプログラムを提供することにある。
【課題を解決するための手段】
【０００８】
上記目的を達成するために、請求項１記載の画像配信システムは、ネットワークを介して互いに接続された画像配信装置、画像中継装置及び画像表示装置を備え、前記画像配信装置は、撮影した画像データを前記画像中継装置の中継を介して前記画像表示装置に配信する画像配信システムにおいて、前記画像中継装置で複数の広告を記憶する広告記憶手段と、前記画像配信装置で前記記憶された複数の広告の１つをユーザ選択に応じて設定する広告設定手段と、前記画像中継装置で前記設定された広告を前記画像配信装置により撮影された画像データに付加する付加手段とを備えることを特徴とする。
【０００９】
上記目的を達成するために、請求項２記載の画像配信システムは、ネットワークを介して互いに接続された画像配信装置、画像中継装置及び画像表示装置を備え、前記画像配信装置は、撮影した画像データを前記画像中継装置の中継を介して前記画像表示装置に配信する画像配信システムにおいて、前記画像中継装置で複数の広告を記憶する広告記憶手段と、前記画像表示装置で前記記憶された複数の広告の１つをユーザ選択に応じて設定する広告設定手段と、前記画像中継装置で前記設定された広告を前記画像配信装置により撮影された画像データに付加する付加手段とを備えることを特徴とする。
【００１０】
上記目的を達成するために、請求項１４記載の制御方法は、ネットワークを介して互いに接続された画像配信装置、画像中継装置及び画像表示装置を備え、前記画像配信装置は、撮影した画像データを前記画像中継装置の中継を介して前記画像表示装置に配信する画像配信システムの制御方法において、前記画像中継装置で複数の広告を記憶する広告記憶ステップと、前記画像配信装置で前記記憶された複数の広告の１つをユーザ選択に応じて設定する広告設定ステップと、前記画像中継装置で前記設定された広告を前記画像配信装置により撮影された画像データに付加する付加ステップとを備えることを特徴とする。
【００１１】
上記目的を達成するために、請求項１５記載の制御方法は、ネットワークを介して互いに接続された画像配信装置、画像中継装置及び画像表示装置を備え、前記画像配信装置は、撮影した画像データを前記画像中継装置の中継を介して前記画像表示装置に配信する画像配信システムの制御方法において、前記画像中継装置で複数の広告を記憶する広告記憶ステップと、前記画像表示装置で前記記憶された複数の広告の１つをユーザ選択に応じて設定する広告設定ステップと、前記画像中継装置で前記設定された広告を前記画像配信装置により撮影された画像データに付加する付加ステップとを備えることを特徴とする。
【００１２】
上記目的を達成するために、請求項１６記載のプログラムは、ネットワークを介して互いに接続された画像配信装置、画像中継装置及び画像表示装置を備え、前記画像配信装置は、撮影した画像データを前記画像中継装置の中継を介して前記画像表示装置に配信する画像配信システムの画像配信制御プログラムにおいて、前記画像中継装置で複数の広告を記憶する広告記憶モジュールと、前記画像配信装置で前記記憶された複数の広告の１つをユーザ選択に応じて設定する広告設定モジュールと、前記画像中継装置で前記設定された広告を前記画像配信装置により撮影された画像データに付加する付加モジュールとをコンピュータに実行させることを特徴とする。
【００１３】
上記目的を達成するために、請求項１７記載のプログラムは、ネットワークを介して互いに接続された画像配信装置、画像中継装置及び画像表示装置を備え、前記画像配信装置は、撮影した画像データを前記画像中継装置の中継を介して前記画像表示装置に配信する画像配信システムの画像配信制御プログラムにおいて、前記画像中継装置で複数の広告を記憶する広告記憶モジュールと、前記画像表示装置で前記記憶された複数の広告の１つをユーザ選択に応じて設定する広告設定モジュールと、前記画像中継装置で前記設定された広告を前記画像配信装置により撮影された画像データに付加する付加モジュールとをコンピュータに実行させることを特徴とする。
【発明の効果】
【００１４】
請求項１記載の画像配信システム、請求項１４記載の制御方法、請求項１６記載のプログラムによれば、画像中継装置で複数の広告を記憶し、広告設定手段、広告設定ステップ又は広告設定モジュール（以下単に「広告設定手段」という。）により画像配信装置で上記記憶された複数の広告の１つをユーザ選択に応じて設定し、画像中継装置で上記設定された広告を画像配信装置により撮影された画像データに付加するので、デジタルカメラや携帯端末等のような性能が低く機能の制限された画像配信装置においても、利用者である画像配信者が望む広告を配信者画像データに付加することができる。
【００１５】
請求項２記載の画像配信システム、請求項１５記載の制御方法、請求項１７記載のプログラムによれば、画像中継装置で複数の広告を記憶し、広告設定手段により画像表示装置で上記記憶された複数の広告の１つをユーザ選択に応じて設定し、画像中継装置で上記設定された広告を画像配信装置により撮影された画像データに付加するので、デジタルカメラや携帯端末等のような性能が低く機能の制限された画像表示装置においても、利用者である画像受信者が望む広告を配信者画像データに付加することができる。
【００１６】
請求項３記載の画像配信システムによれば、他の画像中継装置で上記複数の広告と同一の広告を複数の検索条件と関連づけて記憶し、広告設定手段で上記複数の検索条件の１つをユーザ選択に応じて設定し、他の画像中継装置で上記設定された検索条件に合う広告を上記複数の検索条件と関連づけて記憶された広告から抽出して、この抽出された広告を一覧表示する広告一覧を作成し、広告設定手段で上記作成された広告一覧からユーザ選択された広告を上記設定された広告とするので、上記複数の広告全部でなく一定の検索条件にあう広告のみを広告一覧として画像配信装置又は画像表示装置で表示することができる。
【００１７】
請求項４記載の画像配信システムによれば、上記複数の検索条件は、画像配信装置の位置情報を含むので、利用者が望む広告を画像配信装置で撮影された画像データに確実に付加することができる。
【００１８】
請求項５記載の画像配信システムによれば、上記複数の検索条件は、画像表示装置の位置情報を含むので、利用者が望む広告を画像配信装置で撮影された画像データに確実に付加することができる。
【００１９】
請求項６記載の画像配信システムによれば、上記複数の検索条件は、画像配信装置の利用者情報を含むので、利用者が望む広告を画像配信装置で撮影された画像データに確実に付加することができる。
【００２０】
請求項７記載の画像配信システムによれば、上記複数の検索条件は、画像表示装置の利用者情報を含むので、利用者が望む広告を画像配信装置で撮影された画像データに確実に付加することができる。
【００２１】
請求項８記載の画像配信システムによれば、上記複数の検索条件は、画像配信装置で撮影された画像の撮影日時情報を含むので、撮影時刻が日中の場合と夜間の場合で別な広告を画像配信装置で撮影された画像データに付加したり、撮影の季節に合った広告を画像配信装置で撮影された画像データに付加したりできる。
【００２２】
請求項９記載の画像配信システム法によれば、広告設定手段で、前回に、上記作成された広告一覧から上記ユーザ選択された広告とこの広告一覧で一覧表示される広告の検索条件とを関連付けて記憶し、この前回記憶された検索条件が、上記ユーザ選択により今回設定された検索条件と同一であるときに、この検索条件と関連付けて記憶された広告を画像配信装置により撮影された画像データに付加する広告に設定するので、過去にユーザ選択された検索条件が再度選択された場合にユーザ操作を簡略化することができると共に、複数の画像を表示するため画像配信装置又は画像表示装置のメモリへの負荷が大きい広告一覧の表示頻度を最小限に抑えることができる。
【００２３】
請求項１０記載の画像配信システムによれば、画像中継装置で上記複数の広告夫々の利用期限を記憶し、この記憶された利用期限から上記設定された広告の利用期限を抽出し、広告設定手段で抽出された利用期限が現在の日付より前であるときに上記記憶された検索条件からこの利用期限の広告の検索条件を抽出し、この抽出された検索条件を他の画像中継装置に再送信するので、広告の利用期限を確実に保持することができる。
【００２４】
請求項１１記載の画像配信システムによれば、画像中継装置は、上記複数の広告夫々の提供者の連絡先を記憶して、この記憶された提供者連絡先から上記設定された広告の提供者の連絡先を抽出し、上記設定された広告の配信時間を記憶し、上記記憶された配信時間に応じて定期的に広告配信料を算出し、この算出された広告配信料の請求通知を上記抽出された提供者の連絡先に送信するので、上記提供者に対して一定期間中の広告配信料を確実に請求することができる。
【００２５】
請求項１２記載の画像配信システムによれば、画像中継装置は、上記設定された広告が付加されている画像データを画像配信装置で撮影した配信者の連絡先を記憶して、上記記憶された配信時間に応じて定期的に配信者への還付広告配信料を算出し、算出された還付広告配信料の還付通知を上記記憶された配信者の連絡先に送信するので、上記配信者に対して一定期間中の広告配信料を確実に還付することができる。
【００２６】
請求項１３記載の画像配信システムによれば、画像中継装置は、上記設定された広告が付加されている画像データを画像表示装置で受信した受信者の連絡先を記憶して、上記記憶された配信時間に応じて定期的に受信者への還付広告配信料を算出し、算出された還付広告配信料の還付通知を上記記憶された受信者の連絡先に送信するので、上記受信者に対して一定期間中の広告配信料を確実に還付することができる。
【発明を実施するための最良の形態】
【００２７】
以下、本発明の実施の形態を図面を用いて詳述する。
【００２８】
以下の説明では、画像配信システムや画像配信装置の動作・機能について既に広く知られている点に関しては、適宜、説明を省略する。
【００２９】
図１は、本発明の実施の形態に係る画像配信システムの構成を概略的に示す図である。
【００３０】
図１において、画像配信システム１００は、撮影した静止画又は動画から成る画像データ５０Ａをネットワーク１０１を介して配信するデジタルカメラ１０２（画像配信装置）と、複数の広告を保持する広告データベース１０４ａ（広告記憶手段）を保持し、デジタルカメラ１０２からの画像データ５０Ａに広告データベース１０４ａに保持された複数の広告の一つを付加した広告付き画像データ５０Ｂをネットワーク１０１を介して再配信する広告プロキシサーバ１０３ａ（画像中継装置）と、広告データベース１０４ａと同一の広告を後述する図７の各種データと関連付けして保持する一覧データベース１０４ｂを保持し、一覧データベース１０４ｂに保持された広告の一部を一覧表示する広告一覧データを作成して、この作成した広告一覧データをネットワーク１０１を介してデジタルカメラ１０２に送信する広告プロキシサーバ１０３ｂ（他の画像中継装置）と、広告プロキシサーバ１０３ａから広告付き画像データ５０Ｂを受信して表示するクライアント１０５（画像表示装置）とを備え、これらは互いにネットワーク１０１を介して接続されている。
【００３１】
クライアント１０５は、ネットワーク１０１から広告付き画像データ５０Ｂを受信する手段と、この受信した広告付き画像データ５０Ｂを表示する手段を有するものであればよく、例えば、ＰＣ、ＰＤＡ、デジタルカメラ等から構成される。
【００３２】
図１において、デジタルカメラ１０２から配信されるデータは画像データ５０Ａであったが、広告を広告プロキシサーバ１０３ａで付加できるもので特に限定されるものでなく、例えば、テキストデータ、静止画の画像データ、動画の画像データのいずれかであってもよい。
【００３３】
広告プロキシサーバ１０３ａが保持する広告データベース１０４ａは、図７（ａ）に示すように、一の広告について、その広告名を記録する広告名データ７０１と、その広告のリソース情報としての画像データ５０Ａを記録するリソース情報データ７０２、その広告の提供者（広告プロキシ）の名称及びその連絡先等のデータを記録する広告プロキシデータ７０３と、その広告の配信記録情報を記録する配信記録データ７０４、その広告について後述する図８の広告配信料請求処理の終了がされていることを示す処理終了フラグを記録するフラグデータ７０５とを備える。
【００３４】
上記配信記録データ７０４は、さらに、図７（ｂ）に示すように、画像データ５０Ａを配信するデジタルカメラ１０２の利用者の情報（例えば氏名、性別、年齢、所在地情報等）を記録する配信者情報データ７１１と、広告付き画像データ５０Ｂを受信するクライアント１０５の利用者の情報（例えば氏名、性別、年齢、所在地情報等）を記録する受信者情報データ７１２、広告付き画像データ５０Ｂのクライアント１０５への配信開始時刻を記録する配信開始時刻データ７１３と、その配信終了時刻を記録する配信終了時刻データ７１４とを備える。
【００３５】
また、広告プロキシサーバ１０３ｂが保持する一覧データベース１０４ｂは、図７（ｃ）に示すように、一の広告について、その広告名を記録する広告名データ７２１と、その広告のリソース情報としての画像データ５０Ａを記録するリソース情報データ７２２と、その広告のジャンルを記録するジャンルデータ７２３と、その広告と関係が深い場所（例えば、旅行社の広告に対する駅、空港、観光地等の場所）を記録する場所データ７２４と、画像データ５０Ａの撮影時刻や季節等の日時情報を記憶する日時情報データ７２５と、その広告の提供者（広告プロキシ）の名称を記録する広告プロキシ名称データ７２６とを備える。
【００３６】
本実施の形態では、広告プロキシサーバは、広告プロキシサーバ１０３ａ，１０３ｂの２台から構成されているが、広告プロキシサーバ１０３ａ又は広告プロキシサーバ１０３ｂが、広告データベース１０４ａと一覧データベース１０４ｂの両方を有し、上記再配信や広告一覧データの作成送付を全て行うように構成してもよいし、広告プロキシサーバ１０３ａ，１０３ｂの夫々が複数台存在していてもよい。
【００３７】
図２は、図１におけるデジタルカメラ１０２の構成を概略的に示すブロック図である。
【００３８】
図２において、デジタルカメラ１０２は、被写体を撮影して映像信号を出力する撮像部２０１と、主に半導体メモリで構成され、撮像部２０１から出力される映像信号が入力される主記憶装置２０２と、撮像部２０１からの映像信号や主記憶装置２０２からの再生信号が入力され、映像信号を液晶画面上に表示するＬＣＤ出力部２０３と、被写体の撮影中に外界の音を録音して音声信号を出力する録音部２０４と、後述する制御部２０７からの制御信号に基づき、入力された映像信号のキャプチャー処理、圧縮処理等の画像処理を行う画像処理部２０５と備える。
【００３９】
また、デジタルカメラ１０２は、各種ユーザ操作を行うボタンやタッチパネルからの入力を扱う入力部２０６と、ＣＰＵ２０８及びプログラムメモリ２０９を備え、装置の各構成要素をプログラムメモリ２０９に記憶されているプログラムの制御手順に従ってＣＰＵ２０８の制御により動作させる制御部２０７と、画像処理部２０５から出力される画像データや制御部２０７から入力される画像データを取り外し可能なメディア２１１に記録するＩ／Ｆ部２１０と、ネットワーク１０１に接続され、画像処理部２０５から出力される画像データや制御部２０７から入力される画像データを撮影画像として、広告プロキシサーバ１０３ａ，１０３ｂやクライアント１０５に配信したり、また夫々からの接続要求を受け付けるネットワークＩ／Ｆ部２１２とを備える。
【００４０】
図３は、図１の画像配信システム１００によって実行される画像配信処理の手順を示すフローチャートである。
【００４１】
図３において、まず、デジタルカメラ１０２は、動画撮影により、画像データ５０Ａを取得すると（ステップＳ３０１でＹＥＳ）、この画像データ５０Ａをネットワーク１０１を介して広告プロキシサーバ１０３ａに配信する（ステップＳ３０２）。
【００４２】
次いで、広告プロキシサーバ１０３ａは、ステップＳ３０２で配信された画像データ５０Ａを受信すると（ステップＳ３０３でＹＥＳ）、後述する図４の広告付き画像データ作成処理を実行して、画像データ５０Ａに広告データベース１０４ａに保持された複数の広告の１つを付加して広告付き画像データ５０Ｂを作成し（ステップＳ３０４）、この広告付き画像データ５０Ｂをクライアント１０５にネットワーク１０１を介して再配信する（ステップＳ３０５）。
【００４３】
クライアント１０５は、広告プロキシサーバ１０３ａから再配信された広告付き画像データ５０Ｂを受信すると（ステップＳ３０６でＹＥＳ）、この受信した広告付き画像データ５０Ｂをクライアント１０５の広告付き動画表示画面６００（図６）上に表示して（ステップＳ３０７）、本処理を終了する。ステップＳ３０７の広告付き動画表示画面６００は、図６に示すように、画像データ５０Ａと広告５１０とから成る広告付き画像データ５０Ｂを表示する。
【００４４】
また、本処理において、広告プロキシサーバ１０３ａはクライアント１０５と常時接続しているが、定期的にクライアント１０５と接続するようにしてもよい。この場合、広告プロキシサーバ１０３ａはクライアント１０５に接続するまでの間は、ステップＳ３０４の処理が終了しても、ステップＳ３０５の処理に進まず、ステップＳ３０３〜ステップＳ３０４の処理を繰り返す。
【００４５】
図４は、図３のステップＳ３０４の広告付き動画作成処理の手順を示すフローチャートである。
【００４６】
図４において、まず、デジタルカメラ１０２は、操作画面５００（図５（ａ））を表示する（ステップＳ４０１）。
【００４７】
この操作画面５００は、デジタルカメラ１０２がステップＳ３０１で撮影した画像データ５０Ａを表示する動画表示部５０１と、広告一覧データで表示される広告の選択条件をユーザ選択可能に表示する指定メニュー表示部５０２と、広告一覧取得ボタン５０３とを備える。
【００４８】
指定メニュー５０２は、旅行、スポーツ、車，食事等、ユーザが画像データ５０Ａに付加したい広告のジャンルを大まかに分類したものをユーザ選択可能に表示するジャンル選択バー５０２ａと、例えば撮影場所が駅や空港の場合には、旅行関係の広告が、観光地の場合には、その観光地に合った広告が広告一覧データで一覧表示されるように、複数の場所名をユーザ選択可能に表示する撮影場所選択バー５０２ｂと、撮影時刻が日中の場合と夜間の場合で別な広告を利用したり、撮影の季節に合った広告を画像データ５０Ａに付加したりできるように、画像データ５０Ａの撮影日時をユーザ選択可能に表示する撮影日時選択バー５０２ｃと、ステップＳ４０２で広告一覧データを送信する広告プロキシサーバをユーザ選択可能に表示する広告プロキシ選択バー５０２ｄとを備える。
【００４９】
広告一覧取得ボタン５０３は、このボタンがユーザ選択されたときに、選択バー５０２ａ〜５０２ｄにより選択された条件を広告一覧データに表示する広告の抽出条件として設定する。
【００５０】
図４に戻り、デジタルカメラ１０２は、ステップＳ４０１で表示された操作画面５００の各選択バー５０２ａ〜５０２ｄで選択条件のユーザ選択がされた後（ステップＳ４０２でＹＥＳ）、広告一覧取得ボタン５０３のユーザ選択があったとき（ステップＳ４０３でＹＥＳ）、広告一覧の送信要求をネットワーク１０１を介して広告プロキシサーバ１０３ｂに送信する（ステップＳ４０４）。広告プロキシサーバ１０３ｂは、この送信要求を受信すると（ステップＳ４０５でＹＥＳ）、各選択バー５０２ａ〜５０２ｄでユーザ選択された選択条件にあう広告の画像データを一覧データベース１０４ｂから抽出し、この抽出した広告の画像データを一覧表示する広告一覧データを作成し（ステップＳ４０６）、この広告一覧データをネットワーク１０１を介してデジタルカメラ１０２に送信する（ステップＳ４０７）。これにより、一覧データベース１０４ｂに保持される広告の画像データ全部でなく一定の検索条件にあう広告のみを広告一覧としてデジタルカメラ１０２で表示することができ、デジタルカメラ１０２が性能が低く機能の制限されている場合でも、配信者が望む広告５０１を画像データ５０Ａに確実に付加することができる。
【００５１】
デジタルカメラ１０２は、ステップＳ４０４の広告一覧の送信要求を行ってから一定期間の間に広告プロキシサーバ１０３ｂからの上記広告一覧データの受信があったか否かを判別し（ステップＳ４０８）、受信がなかったときは、警告メッセージを表示してデジタルカメラ１０２の利用者に報知し（ステップＳ４０９）、図５の広告プロキシ選択バー５０２ｄにより前回ステップＳ４０２でユーザ選択された選択条件の選択ができないように選択バー５０２ａ〜５０２ｄからその表示を削除した後に（ステップＳ４１０）、ステップＳ４０１以降の処理を繰り返す。
【００５２】
一方、ステップＳ４０８の判別の結果、広告一覧データの受信があったときは、デジタルカメラ１０２はこの広告一覧データに基づく広告選択画面５０４（図５（ｂ））を表示する（ステップＳ４１１）。
【００５３】
この広告選択画面５０４は、ユーザ選択された条件を表示する条件表示部５０４ａと、ユーザ選択された条件にあう広告を夫々ユーザ選択可能に表示する広告表示部５０４ｂと、広告表示部５０４ｂをスクロールするスクロールボタン５０４ｃ，５０４ｄと、選択した広告が画像データ５０Ａに付加された状態をプレビューするプレビューボタン５０４ｅと、ボタン押下されたときにユーザ選択された広告を画像データ５０Ａに付加する広告に決定する決定ボタン５０４ｆと、ボタン押下されたときに画像データ５０Ａに付加する広告を決定することなく、再度操作画面５００を表示するキャンセルボタン５０４ｇとを備える。
【００５４】
また、デジタルカメラ１０２は、広告表示部５０４ｂに表示された広告の１つが選択されたとき、画面５１０のように、外枠を太く表示する。これにより、デジタルカメラ１０２がユーザ選択されたと認識している広告がどれであるか、ユーザが確認することができる。
【００５５】
図４に戻り、デジタルカメラ１０２は、ステップＳ４１１で表示された広告選択画面５０４の広告表示部５０４ｂに表示された広告のいずれかがユーザ選択された後（ステップＳ４１２でＹＥＳ）、決定ボタン５０４ｆのボタン押下があったか否かを判別し（ステップＳ４１３）、決定ボタン５０４ｆのボタン押下がなく、キャンセルボタン５０４ｇのボタン押下があったときは、ステップＳ４０１以降の処理を繰り返す。
【００５６】
一方、ステップＳ４１３の判別の結果、決定ボタン５０４ｆのボタン押下があったときは、画像データ５０Ａに付加する広告をこのユーザ選択された広告（広告５１０）に設定し、広告プロキシサーバ１０３ｂに画像データ５０Ａにこの設定された広告（広告５１０）の付加要求を広告プロキシサーバ１０３ａに送信する（ステップＳ４１４）。
【００５７】
広告プロキシサーバ１０３ａは、この付加要求を受信すると（ステップＳ４１５でＹＥＳ）、付加要求のあった広告５１０の画像データを広告データベース１０４ａから抽出し、この抽出した広告の画像データをステップＳ３０２で送信された画像データ５０Ａに付した広告付き画像データ５０Ｂ（図１）を作成して（ステップＳ４１６）、本処理を終了する。
【００５８】
図３及び図４の処理によれば、デジタルカメラ１０２はユーザ選択に応じて広告５１０を画像データ５０Ａに付加する広告に設定して付加要求を広告プロキシサーバ１０３ａに送信し（ステップＳ４１４）、広告プロキシサーバ１０３ａは、上記付加要求を受信すると（ステップＳ４１５でＹＥＳ）、デジタルカメラ１０２で設定された広告を広告データベース１０４ａから抽出し、この抽出された画像をデジタルカメラ１０２で撮影され配信された画像データ５０Ａに付加して（ステップＳ４１６）、クライアント１０５に送信するので（ステップＳ３０５）、通常のデジタルカメラのように、デジタルカメラ１０２の性能が低く機能の制限されている場合でも、デジタルカメラ１０２のユーザが所望する広告をそのユーザが撮影した画像データ５０Ａに付加することができる。
【００５９】
また、図４の処理は、図３のステップＳ３０１で撮影した画像データ５０Ａが広告プロキシサーバ１０３ａに送信された後に行われているが、撮影した画像データ５０Ａを広告プロキシサーバ１０３ａに送信する前に広告付加要求を行うようにしてもよい。これにより、広告プロキシサーバ１０３で画像データ５０Ａに広告が付加されることなく保持する期間を最小限に抑えることができる。
【００６０】
また、図４の処理でデジタルカメラ１０２が行う処理をクライアント１０５が行うようにしてもよい（図１１）（図４の広告付き動画作成処理の第１の変形例）。
【００６１】
本実施の形態では、各種選択バーによるユーザ選択がなされたときに（ステップＳ４０２でＹＥＳ）、広告一覧データが広告プロキシサーバ１０３ｂから送信された（ステップＳ４０７）が、これに限定されるものでなく、例えば、上記ユーザ選択がなされなかったときは、広告プロキシサーバ１０３により予め決められた広告の一覧を取得するように構成してもよく、また、デジタルカメラ１０２に位置検出機能が備わっている場合には、場所データ７０３に記憶されている場所からデジタルカメラ１０２の現在位置に該当するものを選択して、その場所に対応する広告の一覧を取得するように構成してもよい。さらに、一覧データベース１０４ｂに広告毎に対象とするユーザの性別や年齢等の情報（利用者情報）を記憶する利用者情報データを設け、この利用者情報データに記憶されている利用者情報からデジタルカメラ１０２の利用者の性別や年齢等に該当するものを選択して、その利用者情報に対応する広告の一覧を取得するように構成してもよい。このように、デジタルカメラ１０２の現在位置やデジタルカメラ１０２の利用者の性別や年齢等に基づいて広告一覧データを取得することにより、デジタルカメラ１０２又はクライアント１０５の利用者である画像受信者又は画像配信者が望む広告を画像データ５０Ａに確実に付加することができる。
【００６２】
図８は、図１の画像システム配信システム１００によって実行される広告配信料算出処理の手順を示すフローチャートである。
【００６３】
本処理において、図７（ａ）のフラグデータ７０５に記録されている処理終了フラグの初期設定は全てＯＮになっている。
【００６４】
図８において、まず、広告プロキシサーバ１０３ａは、図３のステップＳ３０５の再配信を開始すると（ステップＳ８０１でＹＥＳ）、その時刻を配信開始時刻として配信記録データ７０４の配信開始時刻データ７１３（図７（ｂ））に書き込み（ステップＳ８０２）、その後、ステップＳ８０１で開始した再配信が終了すると（ステップＳ８０３でＹＥＳ）、その時刻を配信終了時刻として配信記録データ７０４の配信終了時刻データ７１４（図７（ｂ））に書き込む（ステップＳ８０４）。また、フラグデータ７０５に記録されている処理終了フラグのうち、ステップＳ８０１で再配信が開始した広告の処理終了フラグをＯＦＦにする。
【００６５】
次に、広告プロキシサーバ１０３ａは、現在の日付が月末であるか否かを判別し（ステップＳ８０５）、月末でないときはステップＳ８０１以降の処理を繰り返し、月末であるときは、図７のフラグデータ７０５に記録されている処理終了フラグがＯＦＦである広告のうち、広告プロキシデータ７０３中の一の広告プロキシが提供したものを抽出し、抽出された全ての広告の１月間の配信時間の合計を配信記録データ７０４から集計する（ステップＳ８０６）。本処理のステップＳ８０５では、現在の日付が月末であるか否かを判別するが、定期的にステップＳ８０６以降の処理を行うのであれば、これに限定されるものではない。
【００６６】
その後、広告プロキシサーバ１０３ａは、単位時間当たりの広告配信料を上記集計された総時間で乗じた値を上記一の広告プロキシの広告配信料として算出し（ステップＳ８０７）、上記一の広告プロキシの所在地情報を広告プロキシデータ７０３から抽出して（ステップＳ８０８）、この算出された広告配信料を請求する旨の通知を上記抽出された一の広告プロキシの所在地情報に基づき送信後（ステップＳ８０９）、上記一の広告プロキシが提供する全ての広告の処理終了フラグをＯＮにする（ステップＳ８１０）。
【００６７】
このステップＳ８０６〜Ｓ８１０の処理を広告プロキシデータ７０５中の全ての広告プロキシについて行い（ステップＳ８１１でＹＥＳ）、本処理を終了する。
【００６８】
図８によれば、画像配信システム１００は、一定期間中に配信された広告付き画像データ５０Ｂの広告を提供した広告プロキシに対してその期間中の広告配信料を確実に請求することができる。
【００６９】
図９は、図８の広告配信料算出処理の第１の変形例の手順を示すフローチャートである。
【００７０】
図９の処理は、図８の処理と基本的に同じであり、図８のステップと同一のステップには同一符号を付して重複した説明は省略し、以下に図８の処理と異なる部分についてのみ説明する。
【００７１】
図９において、広告プロキシサーバ１０３ａは、図８のステップＳ８０１〜Ｓ８０５の処理により１月間の広告配信記録を配信記録データ７０４に書き込んだ後、図７のフラグデータ７０５に記録されている処理終了フラグがＯＦＦである広告のうち、配信記録データ７０４中の一の配信者がデジタルカメラ１０２により撮影した画像データに付加したものを抽出し、抽出された全ての広告の１月間の配信時間の合計を配信記録データ７０４から集計する（ステップＳ９０２）。
【００７２】
その後、広告プロキシサーバ１０３ａは、単位時間当たりの還付広告配信料を上記集計された総配信時間で乗じた値を上記一の配信者に対する還付広告配信料として算出し（ステップＳ９０３）、上記一の配信者の所在地情報を配信記録データ７０４の配信者情報データ７１１から抽出して（ステップＳ９０４）、この算出された還付広告配信料を還付する旨の通知を上記抽出された一の配信者の所在地情報に基づき送信後（ステップＳ９０５）、一の配信者についての広告の処理終了フラグをＯＮにする（ステップＳ９０６）。
【００７３】
このステップＳ９０２〜Ｓ９０６の処理を配信記録データ７０４中の全ての配信者について行い（ステップＳ９０７）、本処理を終了する。
【００７４】
図９によれば、画像配信システム１００は、一定期間中に広告が付加された画像データ５０Ａをデジタルカメラ１０２で撮影した配信者に対してその期間中の還付広告配信料を確実に還付することができる。
【００７５】
図１０は、図８の広告配信料算出処理の第２の変形例の手順を示すフローチャートである。
【００７６】
図１０の処理は、図８の処理と基本的に同じであり、図８のステップと同一のステップには同一符号を付して重複した説明は省略し、以下に図８の処理と異なる部分についてのみ説明する。
【００７７】
図１０において、広告プロキシサーバ１０３ａは、図８のステップＳ８０１〜Ｓ８０５の処理により１月間の広告配信記録を配信記録データ７０４に書き込んだ後、図７のフラグデータ７０５に記録されている処理終了フラグがＯＦＦである広告のうち、配信記録データ７０４中の一の受信者が受信した画像データに付加されていたものを抽出し、抽出された全ての広告の１月間の配信時間の合計を配信記録データ７０４から集計する（ステップＳ１００２）。
【００７８】
その後、広告プロキシサーバ１０３ａは、単位時間当たりの還付広告配信料を上記集計された総配信時間で乗じた値を上記一の受信者に対する還付広告配信料として算出し（ステップＳ１００３）、上記一の受信者の所在地情報を配信記録データ７０４の受信者情報データ７１２から抽出して（ステップＳ１００４）、この算出された還付広告配信料を還付する旨の通知を上記抽出された一の受信者の所在地情報に基づき送信後（ステップＳ１００５）、一の配信者についての広告の処理終了フラグをＯＮにする（ステップＳ１００６）。このステップＳ１００２〜Ｓ１００６の処理を配信記録データ７０４中の全ての配信者について行い（ステップＳ１００７）、本処理を終了する。
【００７９】
図１０によれば、画像配信システム１００は、一定期間中に広告付き画像データ５０Ｂをクライアント１０５で受信した受信者に対してその期間中の還付広告配信料を確実に還付することができる。
【００８０】
図８〜図１０の処理では、画像データ５０Ａに１つの広告しか付加されていない場合について説明したが、２つ以上の広告が付加されるようにしてもよい。
【００８１】
以下、図４の広告付き画像データ作成処理の第２の変形例について説明する。
【００８２】
本変形例は、その構成が上記画像配信システム１００と基本的に同じであり、同じ構成要素については同一の符号を付して重複した説明を省略し、以下に異なる構成要素について説明する。
【００８３】
デジタルカメラ１０２は、操作画面５００の各選択バー５０２ａ〜５０２ｄで新たな選択条件がユーザ選択され、広告プロキシサーバ１０３ｂが作成した広告一覧データに一覧表示される広告の一つの付加要求を広告プロキシサーバ１０３ａに送信する毎に、その広告の付加要求及びその選択条件を関連づけて記憶する不図示の記憶手段をさらに有する。
【００８４】
また、広告プロキシサーバ１０２ａの保持する一覧データベース１０４ａは、図１５に示すように、図７（ａ）のデータに加えて、一の広告についての利用期限を記録する利用期限データ７０６を更に有する。
【００８５】
図１２及び図１３は、図４の広告付き動画作成処理の第２の変形例の手順を示すフローチャートである。
【００８６】
図１２及び図１３の処理は、図４の処理と基本的に同じであり、図４のステップと同一のステップには同一符号を付して重複した説明は省略し、以下に図４の処理と異なる部分についてのみ説明する。
【００８７】
図１２において、まず、デジタルカメラ１０２は、操作画面５００を表示し、その画面中の各選択バー５０２ａ〜５０２ｄでユーザ選択がされた後、広告一覧取得ボタン５０３のユーザ選択があったとき（ステップＳ４０１〜Ｓ４０３）、デジタルカメラ１０２はステップＳ４０２でユーザ選択された選択条件がデジタルカメラ１０２中にある上記不図示の記憶手段に記憶されているか否かを判別し（ステップＳ１２０１）、記憶されてない場合は、広告一覧の送信要求を広告プロキシサーバ１０３ｂに送信し、その後一定期間の間に広告プロキシサーバ１０３ｂからの広告一覧データの受信があったとき（ステップＳ４０４〜Ｓ４０８でＹＥＳ）、この広告一覧データに基づく広告選択画面５０４（図５（ｂ））を表示する（ステップＳ４１１）。
【００８８】
次に、広告選択画面５０４の広告表示部５０４ｂに表示された広告のいずれかがユーザ選択され、決定ボタン５０４ｆのボタン押下があったとき（ステップＳ４１２，Ｓ４１３）、ステップＳ４１２でユーザ選択された広告の付加要求とステップＳ４０２でユーザ選択された選択条件とを関連付けて上記記憶手段に記憶して（ステップＳ１２０２）、付加要求を広告プロキシサーバ１０３ａに送信し（ステップＳ４１４）、後述するステップＳ４１５以降の処理に進む。
【００８９】
一方、ステップＳ１２０１の判別の結果、各選択バー５０２ａ〜５０２ｄでユーザ選択された選択条件が上述の記憶手段に記憶されている場合は、この記憶されている選択条件と関連付けがされている広告の付加要求を上記記憶手段から呼び出して、この呼び出した付加要求を広告プロキシサーバ１０３ａに送信して（ステップＳ４１４）、後述するステップＳ４１５以降の処理に進む。
【００９０】
ステップＳ４１５において、広告プロキシサーバ１０３ａは、デジタルカメラ１０２からの付加要求を受信すると、この付加要求がされた広告が利用期限切れであるか否かを判別し（ステップＳ１２０５）、利用期限切れであるときはその旨の通知をデジタルカメラ１０２に送信する（ステップＳ１２０６）。ステップＳ１２０５の判別処理は、広告プロキシサーバ１０３ａが保持する一覧データベース１０４ａ（図１５）中にあって、各広告についてその利用期限を記録する利用期限データ７０６から、付加要求がされた広告の利用期限を呼び出し、この呼び出した利用期限が現在の日付より前であるときに利用期限が切れていると判断する。
【００９１】
次に、デジタルカメラ１０２は、広告プロキシサーバ１０３ａからステップＳ１２０６の通知を受信すると（ステップＳ１２０７でＹＥＳ）、その旨の警告メッセージ（図１４）を表示する（ステップＳ１２０８）。これにより、広告の利用期限が超過した場合には、ユーザはその事実を知ることができる。
【００９２】
その後、上記利用期限が超過した広告の付加要求と対応付けられた選択条件を上記記憶手段から呼び出し（ステップＳ１２０９）、図１２のステップＳ４０４からの処理を行う。これにより、以前に同一の条件で広告の一覧要求を送信したことがある場合でも、そのとき選択した広告の利用期限が切れている場合は再度広告の一覧要求を行うので、広告の利用期限を保持することができる。
【００９３】
図１２及び図１３の処理によれば、デジタルカメラ１０２は、画像データ５０Ａに付加する広告に広告５０１を設定したときに、その広告一覧の送信要求を関連づけて記憶手段に記憶しておき、ユーザ選択に応じて設定された検索条件が記憶手段に記憶されている検索条件であるときに、この検索条件と関連付けられた広告を広告５０１として設定するので、以前付加した広告を再度選択するときにユーザ操作を簡略化することができると共に、複数の画像を表示するためデジタルカメラ１０２のメモリへの負荷が大きい広告選択画面５０４を表示する頻度を最小限に抑えることができる。
【００９４】
なお、図１２の処理は、デジタルカメラ１０２と広告プロキシサーバ１０３ａ，１０３ｂの間で行われたが、これに限定されるものでなく、クライアント１０５と広告プロキシサーバ１０３ａ，１０３ｂの間で行われてもよい。
【００９５】
本発明は、上述した実施の形態の機能を実現するソフトウェアのプログラムを画像配信システム１００内のＣＰＵに供給し、ＣＰＵが該供給されたプログラムを読出して実行することによって、達成することができる。
【００９６】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００９７】
上記プログラムの形態は、オブジェクトコード、インタプリタにより実行されるプログラムコード、ＯＳ（オペレーティングシステム）に供給されるスクリプトデータ等の形態から成ってもよい。
【００９８】
また、本発明は、上述した実施の形態の機能を実現するソフトウェアのプログラムを記憶した記憶媒体をＣＰＵに供給し、そのＣＰＵが記憶媒体に記憶されたプログラムを読出して実行することによっても、達成することができる。
【００９９】
この場合、格納媒体から読出されたプログラムコード自体が上述した各実施の形態の機能を実現すると共に、そのプログラムコードを記憶した記憶媒体は本発明を構成する。
【０１００】
プログラムコードを記憶する記憶媒体としては、例えば、ＲＯＭ、ＲＡＭ、ＮＶ−ＲＡＭ、フロッピー（登録商標）ディスク、ハードディスク、光ディスク、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１０１】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【図面の簡単な説明】
【０１０２】
【図１】本発明の実施の形態に係る画像配信システムの構成を概略的に示す図である。
【図２】図１におけるデジタルカメラの構成を概略的に示すブロック図である。
【図３】図１の画像配信システムによって実行される画像配信処理の手順を示すフローチャートである。
【図４】図３のステップＳ３０４の広告付き動画作成処理の手順を示すフローチャートである。
【図５】図１におけるデジタルカメラ又はクライアントで表示される操作画面を示す図である。
【図６】図１におけるクライアントで表示される広告付き画像データ表示画面を示す図である。
【図７】図１における広告データベース及び一覧データベースの構成を示す図である。
【図８】図１の画像システム配信システムによって実行される広告配信料算出処理の手順を示すフローチャートである。
【図９】図８の広告配信料算出処理の第１の変形例の手順を示すフローチャートである。
【図１０】図８の広告配信料算出処理の第２の変形例の手順を示すフローチャートである。
【図１１】図４の広告付き動画作成処理の第１の変形例の手順を示すフローチャートである。
【図１２】図４の広告付き動画作成処理の第２の変形例の手順を示すフローチャートである。
【図１３】図４の広告付き動画作成処理の第２の変形例の手順の続きを示すフローチャートである。
【図１４】図１３のステップＳ１２０８においてデジタルカメラ１０２に表示される警告メッセージを説明するのに用いられる図である。
【図１５】図１における広告データベースの変形例の構成を示す図である。
【符号の説明】
【０１０３】
５０Ａ  画像データ
５０Ｂ  広告付き画像データ
１００  画像配信システム
１０１  ネットワーク
１０２  デジタルカメラ
１０３ａ，１０３ｂ  広告プロキシサーバ
１０４ａ  広告データベース
１０４ｂ  一覧データベース
１０５  クライアント
【図１】
2006109092.tif 000003
【図２】
2006109092.tif 000004
【図３】
2006109092.tif 000005
【図４】
2006109092.tif 000006
【図５】
2006109092.tif 000007
【図６】
2006109092.tif 000008
【図７】
2006109092.tif 000009
【図８】
2006109092.tif 000010
【図９】
2006109092.tif 000011
【図１０】
2006109092.tif 000012
【図１１】
2006109092.tif 000013
【図１２】
2006109092.tif 000014
【図１３】
2006109092.tif 000015
【図１４】
2006109092.tif 000016
【図１５】
2006109092.tif 000017